(57)【要約】【課題】  棒体を丸めてリング体にするための留金であり、構造簡便で係着や取り外しが容易に出来、安定的な係着保持が出来るクラスプを提供する。【解決手段】  雄留金１の垂下片１ｂに雌留金２の凹部２ａを押し込んで係着させるワンタッチ動作によって雄留金１に雌留金２を安定的に係着することが出来る。取り外しは雌留金２を下方側に押圧することによりワンタッチで行うことが出来る。【選択図】図２
0003178959.tif 000002
【実用新案登録請求の範囲】
【請求項１】
棒体の両端部に設けられ互いに係着して前記棒体をリング体状に形成するためのクラスプ（留金）であって、該クラスプは、雄留金と雌留金とからなり、前記雄留金は、上面側に片持状に伸延される弾性体状の上面片と該上面片の略中間位置に垂下される垂下片と下面側に片持状に伸延される弾性体状の底面片とを一体的に形成するものからなり、前記雌留金は、前記垂下片に挿脱されて係着する凹部とこの凹部の上面側に形成されて前記上面片に弾着する上方保持部と前記底面片に弾着する下方保持部とを一体的に形成するものからなることを特徴とするクラスプ。
【請求項２】
前記棒体が、２枚又は複数枚の細長な板体を直角又は等角度状にその端部を固着した状態で配設し夫々の板体を順次１８０°づつ折り曲げて形成されるリング体からなることを特徴とする請求項１に記載のクラスプ。
【請求項３】
前記上面片及び垂下片及び凹部の一部が前記リング体の一部を利用したものからなることを特徴とする請求項２に記載のクラスプ。
【考案の詳細な説明】
【技術分野】
【０００１】  本考案は、棒体をリング体状に形成するために両端部に設けられて互いに係着する留金としてのクラスプに関する。
【背景技術】
【０００２】  棒体をリング体状にするために使用されるクラスプ（留金）としては各種のものが従来より使用されている。その公知技術としては、例えば「特許文献１」及び「特許文献２」が挙げられる。
【先行技術文献】
【特許文献】
【０００３】
【特許文献１】特開２００９−１１５２５号（図１）
【特許文献２】登録実用新案第３０４２７０７号（図１）
【考案の概要】
【考案が解決しようとする課題】
【０００４】  「特許文献１」の「特開２００９−１１５２５号」の「装身具用のクラスプ」は挿入部（１１）及びこの略中間に設けられる付勢手段（１３）等を有する係比具（１）と、この挿入部（１１）に着脱可能に挿脱される受け入れ部材（２）とからなるもので夫々単独体として形成されるやや複雑な構造のものからなり、棒体の両端部に簡単に形成されたりこれに固着する形態のものではなく、一般的に使用される形態のものからなる。
また、「特許文献２」の「登録実用新案第３０４２７０７号」の「リング状飾り玉つなぎ作成用金具」は雌ネジ（１ｄ）を有する雌体（１ｂ）と、この雌ネジ（１ｄ）に螺着する雄ネジ（１ｃ）を有する雄体（１ａ）とからなるネジ体状の留金であり、一般的な構造のものではあるが着脱時に螺合動作を必要とするものでリング体の接合用の留金としては取扱い性の悪いものであり、かつ夫々別体の独立的の物からなりコスト状もやや高価なものとなる。
また、ここで開示しないその他のクラスプとしても前記のものとほぼ同一状の形態のものからなり、後に説明する本考案のように簡便構造でワンタッチ動作で互いに係着し、かつ棒体の一部を利用するような形態のものは殆ど見当らない。【０００５】  本考案は、以上の事情に鑑みて考案されたものであり、構造が簡単でワンタッチで係脱着が出来、棒体の構造によってはその一部を利用して形成される簡便構造のクラスプを提供することを目的とする。
【課題を解決するための手段】
【０００６】  本考案は、以上の目的を達成するために、請求項１の考案は、棒体の両端部に設けられ互いに係着して前記棒体をリング体状に形成するためのクラスプ（留金）であって、該クラスプは、雄留金と雌留金とからなり、前記雄留金は、上面側に片持状に伸延される弾性体状の上面片と該上面片の略中間位置に垂下される垂下片と下面側に片持状に伸延される弾性体状の底面片とを一体的に形成するものからなり、前記雌留金は、前記垂下片に挿脱されて係着する凹部とこの凹部の上面側に形成されて前記上面片に弾着する上方保持部と前記底面片に弾着する下方保持部とを一体的に形成するものからなることを特徴とする。【０００７】  また、請求項２の考案は、前記棒体が、２枚又は複数枚の細長な板体を直角又は等角度状にその端部を固着した状態で配設し夫々の板体を順次１８０°づつ折り曲げて形成されるリング体からなることを特徴とする。【０００８】  また、請求項３の考案は、前記上面片及び垂下片及び凹部の一部が前記リング体の一部を利用したものからなることを特徴とする。
【考案の効果】
【０００９】  本考案の請求項１のクラスプによれば、雄留金の垂下片に雌留金の凹部を押し込み動作で係着して凹部の上方保持部と下方保持部を雄留金の上面片や底面片に弾着させるだけのワンタッチ動作によって雄留金と雌留金が簡単に、かつ確実に係着して棒体をリング体状にすることが出来ると共に雌留金を下方にワンタッチで押圧するだけの簡単な動作で脱着が可能となる。【００１０】  また、本考案の請求項２及び３のクラスプによれば、棒体が２枚又は複数枚の板体を折り曲げたもので特種で美観のあるものからなり、装飾品としても適用されるものであり、かつクラスプを板体の一部を利用したものからなり、簡便構造で安価のものからなり、着脱動作も簡単にワンタッチで行うことができる。
【図面の簡単な説明】
【００１１】
【図１】雄留金と雌留金の全体構造を示す正面図（ａ）及びこの上面図（ｂ）。
【図２】雄留金と雌留金の係着形状を示す正面図。
【図３】棒体として細長の板片を互いに折り曲げて形成されるものに本考案のクラスプを設けたリング体を示す写真状正面図。
【考案を実施するための形態】
【００１２】  以下、本考案のクラスプ１００の実施形態を図面を参照して詳述する。
本考案のクラスプ１００は図３に示した棒体２００の両端部に形成された形態のものからなり、棒体の一部を利用したものからなるが、勿論別体のものでもよく、棒体２００としては図３に示したもの以外にも適用されることは勿論である。
【実施例】
【００１３】  本考案のクラスプ１００は図１の（ａ），（ｂ）に示すように雄留金１とこれに着脱可能に係着する雌留金２とからなる。【００１４】  雄留金１は、図３に示す形態の棒体２００の端部の一部を利用して片持状に伸延させて舌状（図１（ｂ）に示す）に形成される上面片１ａと、この略中間部から垂下して一体的に形成される垂下片１ｂと、棒体２００の端部の下方側に固着されて片持状に伸延する底面片１ｃ等とから形成される。なお、棒体２００の性質上、上面片１ａは弾性体状のものからなり上下に弾性変形可能である。また、底面片１ｃも上面片１ａ等とほぼ同一の材質のものからなり、上下に変形可能の弾性変形可能な材質のものからなる。なお、図示のように上面片１ａ，垂下片１ｂ及び底面片１ｃは簡単に折り曲げ等により形成されるものであり、簡便構造のものからなる。【００１５】  一方、雌留金２は垂下片１ｂに係着する形状の凹設部を有する凹部２ａからなり、この凹部２ａの上方側には上方保持部２ｂが形成され下方側には下方保持部２ｃが夫々一体的に形成される。なお、凹部２ａ，上方保持部２ｂ及び下方保持部２ｃは棒体２００の一部を利用したものからなる。また、凹部２ａには丸孔３が形成されているがこの丸孔３は凹部２ａの形成上において形成されたものであり、なくてもよい。また、上方保持片２ｂと下方保持片２ｃは凹部２ａが垂下片１ｂに係着した状態で上面片１ａ及び底面片１ｃに弾着可能の構造のものからなる。【００１６】  図２は雄留金１に雌留金２を係着して棒体２００をリング体状にした状態におけるクラスプ１００を示すものであり、雌留金２を雄留金１側にワンタッチで押圧することによりこの形態になることを示したものである。
図２に示すように凹部２ａは垂下片１ｂに係着し、この状態で上方保持部２ｂは上面片１ａに弾着し、下方保持部２ｃは底面片１ｃに弾着し、雌留金２は雄留金１に安定的に係着しリング体を形成することになる。なお、雌留金２の取り外しは雌留金２を下方にワンタッチで押圧することにより容易に行うことが出来る。以上の動作は棒体２００をリング状にして片手で雄留金１と雌留金２とを係着させればよく、係着動作は容易に出来、取り外しも片手で容易に出来る。【００１７】  以上のように、本考案のクラスプ１００は構造簡単で脱着動作も容易に出来、係着の安定性もよく、簡便に取り扱うことが出来、コスト的にも安価に形成することが出来る。【００１８】  本考案は、以上の説明の内容からなるが、棒体の形状は任意のものでよく、また、クラスプ１００の形状も図示のものに限定する必要はなく、同一技術的範疇のものが適用されることは勿論である。
【産業上の利用可能性】
【００１９】  本考案のクラスプ１００は任意の棒体に適用され、例えばブレスレットやネックレスにも適用されその利用範囲は極めて広い。
【符号の説明】
【００２０】  １      雄留金
１ａ    上面片
１ｂ    垂下片
１ｃ    底面片
２      雌留金
２ａ    凹部
２ｂ    上方保持部
２ｃ    下方保持部
３      丸孔
１００  クラスプ
２００  棒体
【図１】
0003178959.tif 000003
【図２】
0003178959.tif 000004
【図３】
0003178959.tif 000005